【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
画像データが添付された電子メールを受信可能なメール受信手段と、前記添付された画像データに基づく画像の印刷を実行する印刷手段と、前記メール受信手段によって受信された前記電子メールの一部を構成する画像データ生成日時、当該電子メールの一部を構成する電子メール送信日時、または電子メール受信日時のいずれかに対応する日時データの少なくとも１つと、前記画像データとを記録する記録手段と、前記添付された画像データおよび前記日時データを前記記録手段に記録させると共に、当該各画像データおよび前記各日時データを当該記録手段から読み出して、予め規定された所定数の画像と、当該各画像にそれぞれ対応する前記各日時とを１セットとして前記印刷手段に印刷させる制御手段と、を備えることを特徴とする画像印刷システム。
【請求項２】
前記制御手段は、前記画像データと共に送信された文字データに基づく文字を当該画像データに基づく画像と共に前記印刷手段に印刷させることを特徴とする請求項１記載の画像印刷システム。
【請求項３】
前記メール受信手段は、携帯型電子メール端末から公衆電話回線網を介して送信された前記電子メールを受信可能に構成されていることを特徴とする請求項１または２に記載の画像印刷システム。
【請求項４】
貸与用の複数の前記携帯型電子メール端末を備えていることを特徴とする請求項３記載の画像印刷システム。
【手続補正２】
【補正対象書類名】明細書
【補正対象項目名】０００３
【補正方法】変更
【補正の内容】
【０００３】
一方、カメラ付きメール端末を用いて撮像した画像を印刷する場合、一般的には、パーソナルコンピュータ（以下、「パソコン」ともいう）にカメラ付きメール端末を接続して画像データを読み出し、パソコンに接続されているプリンタで画像データに基づく画像を印刷する。しかし、例えば旅行先において大量の画像を撮像するときには、カメラ付きメール端末における画像データ記録用メモリの記録容量が不足する。このため、例えば画像を撮像する都度、その画像データを添付した画像付きメールを自己のアドレスに送信しておき、この画像付きメールを帰宅後にパソコンで受信して、添付されている画像データに基づく画像を印刷する。これにより、画像データ記録用メモリの記録容量を超えた大量の画像の撮像、印刷が可能となる。また、従来の画像処理装置には特開２００１−２１６１０４号公報に記載のようなものがある。
【手続補正３】
【補正対象書類名】明細書
【補正対象項目名】０００７
【補正方法】変更
【補正の内容】
【０００７】
本発明の画像印刷システムは、画像データが添付された電子メールを受信可能なメール受信手段と、前記添付された画像データに基づく画像の印刷を実行する印刷手段と、前記メール受信手段によって受信された前記電子メールの一部を構成する画像データ生成日時、当該電子メールの一部を構成する電子メール送信日時、または電子メール受信日時のいずれかに対応する日時データの少なくとも１つと、前記画像データとを記録する記録手段と、前記添付された画像データおよび前記日時データを前記記録手段に記録させると共に、当該各画像データおよび前記各日時データを当該記録手段から読み出して、予め規定された所定数の画像と、当該各画像にそれぞれ対応する前記各日時とを１セットとして前記印刷手段に印刷させる制御手段と、を備えることを特徴とする。
【手続補正４】
【補正対象書類名】明細書
【補正対象項目名】０００８
【補正方法】変更
【補正の内容】
【０００８】
また、本発明の画像印刷システムは、前記制御手段は、前記画像データと共に送信された文字データに基づく文字を当該画像データに基づく画像と共に前記印刷手段に印刷させることが好ましい。
【手続補正５】
【補正対象書類名】明細書
【補正対象項目名】０００９
【補正方法】変更
【補正の内容】
【０００９】
また、本発明の画像印刷システムは、前記メール受信手段は、携帯型電子メール端末から公衆電話回線網を介して送信された前記電子メールを受信可能に構成されていることが好ましい。
【手続補正６】
【補正対象書類名】明細書
【補正対象項目名】００１０
【補正方法】変更
【補正の内容】
【００１０】
また、本発明の画像印刷システムは、貸与用の複数の前記携帯型電子メール端末を備えていてもよい。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００２８
【補正方法】変更
【補正の内容】
【００２８】
以上のように、本発明の画像印刷システムによれば、制御手段が、画像データの生成日時、電子メールの送信日時または受信日時のいずれかと、予め規定された所定数の画像と、を１セットとして印刷手段に印刷させることにより、パソコンやプリンタを所有しない者であっても、自ら撮像した画像の印刷物を確実に入手することができ、しかも、その印刷物に印刷された日時情報に基づいて、いつ撮像した画像であるかを容易に識別することができる。また、画像データ付きの電子メールを受信する都度印刷する印刷方法と比較して、１枚の印刷物に複数の画像を印刷させることができるため、印刷コストを低減することができる。また、この画像印刷システムによれば、所定数の画像と日時とを１セットとして印刷するため、例えば、この画像印刷システムを利用してスタンプラリーを開催したときには、予め設定されたチェックポイントに到着した都度送信された画像データを一括して印刷することができる。この結果、スタンプラリー参加者にとって良い思い出となり得る旅行記としての印刷物を提供することもできる。
【手続補正１１】
【補正対象書類名】明細書
【補正対象項目名】００２９
【補正方法】変更
【補正の内容】
【００２９】
さらに、本発明の画像印刷システムによれば、制御手段が文字を画像と共に印刷手段に印刷させることにより、例えば、画像についてのタイトルとして送信された文字を印刷することができ、かかる場合には、その画像の撮像対象を容易に識別することができる。
【手続補正１２】
【補正対象書類名】明細書
【補正対象項目名】００３０
【補正方法】変更
【補正の内容】
【００３０】
また、本発明の画像印刷システムによれば、公衆電話回線網を介して携帯型電子メール端末から送信された電子メールを受信可能にメール受信手段を構成したことにより、広く普及している携帯電話を含む公衆回線網を利用した電子メールを有効利用することができる。
【手続補正１３】
【補正対象書類名】明細書
【補正対象項目名】００３１
【補正方法】変更
【補正の内容】
【００３１】
さらに、本発明の画像印刷システムによれば、貸与用の複数の携帯型電子メール端末を備えたことにより、携帯型電子メール端末を所有しない者に対しても画像の印刷物を提供することができる。
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】